(57)【要約】【課題】  操作ハンドルのリフト回動のみによってロック部材が引き込み駆動される扉用ロックハンドル装置において、機構を簡略化し、部品点数を減らして製造コストを節減する。【解決手段】上下２個のガイドスロットをケースに形成し、支点スロットを前記ガイドスロットの中間点に形成し、ハンドル支持リンクの先端を操作ハンドルの背面部に枢着し、ハンドル支持リンクの基端と下位側ロック部材とを枢着した下側ピンを下側ガイドスロットに嵌挿し、ハンドル支持リンクの中間部に第１のリフト補助リンクの先端を枢着し、ハンドル支持リンクの前記枢着点から離して第２のリフト補助リンクの先端を操作ハンドルの背面部に枢着し、第１と第２のリフト補助リンクの各基端を枢着する支点ピンを前記支点スロットに嵌挿し、操作ハンドルの先端アーム部に上位側ロック部材を枢着した上側ピンを上側のガイドスロットに嵌挿する。【選択図】    図４
2005330721.tif 000002
【特許請求の範囲】
【請求項１】
操作ハンドルの全体または主要部分を格納するケースが扉前面に装着され、ケースの上下に突出配置された一対のロック部材が固定枠体側のストライク部材に係脱して、扉を固定枠体に対してロックし、操作ハンドルをリフトしてケースから引き出し回動させたとき、前記上下各側のロック部材が同時にアンロック方向に引き込み駆動される扉用ロックハンドル装置において、
ケースの長さ方向に長い上下２個のガイドスロットをケースにその長さ方向に一定の間隔を置いて形成し、ケースの奥行き方向に長い支点スロットを前記２個のガイドスロットの中間点においてケースに形成し、ハンドル支持リンクの先端を操作ハンドルの背面部に枢着し、ハンドル支持リンクの基端に下位側ロック部材の基端を枢着した下側ピンを前記下側のガイドスロットに移動可能に嵌挿し、ハンドル支持リンクの中間部に第１のリフト補助リンクの先端を枢着し、ハンドル支持リンクの前記枢着点から操作ハンドルの長さ方向に一定の間隔を置いた点において第２のリフト補助リンクの先端を操作ハンドルの背面部に枢着し、第１のリフト補助リンクの基端に第２のリフト補助リンクの基端を枢着するピンを前記支点スロットに移動可能に嵌挿し、操作ハンドルの先端アーム部に上位側ロック部材の基端を枢着した上側ピンを前記上側のガイドスロットに移動可能に嵌挿し、
操作ハンドルをその基端側よりリフトして回動させたとき、前記ハンドル支持リンク及び第１、第２のリフト補助リンクの協働作用によって、前記上側ピンと下側ピンを前記上下各側のガイドスロットに沿って移動させ、前記上下各側のロック部材をアンロック方向に引き込み駆動するようにした扉用ロックハンドル装置。
【発明の詳細な説明】
【技術分野】
【０００１】
本発明は、ケースの上下各側にロック部材が突出配置され、当該ロック部材が固定枠体側のストライク部材に係合したロック成立状態において、操作ハンドルの全体または主要部分がケースに格納されている平面ハンドル型の扉用ロックハンドル装置に関するものである。
【背景技術】
【０００２】
従来の一般的な平面ハンドル型の扉用ロックハンドル装置では、扉前面に対して直交する施錠軸をケースに前後移動不能かつ回転可能に装着し、操作ハンドルの基端部を施錠軸の前端部に横断ピンによって枢着し、施錠軸の後端部に固着した錠止板に施錠軸に関して対称位置に左右２個の受孔を形成し、当該受孔に上下一対のロック部材の基端部を枢着してあり、操作ハンドルの先端部をリフトして操作ハンドルをケースから引き出し回転させた後、操作ハンドルを施錠軸の周りに回転させて錠止板をロック位置からアンロック位置に回転させ、上下各側のロック部材を固定枠体側のストライク部材から離脱するように引き込み駆動している（例えば、特許文献１参照）。
【０００３】
この扉用ロックハンドル装置では、操作ハンドルは単に扉前面に対して直交する面内において斜めに突出回転させられるだけでなく、扉前面と平行な面内において旋回回転させられるものであるから、適用対象機器には、操作ハンドルの旋回回転を可能とするような操作空間が確保されていることが前提となる。また、扉の背面側にも錠止板の旋回操作のために、一定の広い余裕空間を確保する必要がある。
【０００４】
操作ハンドルや錠止板の旋回回転を許容する空間を確保できない機器類においては、操作ハンドルをケースから斜めに突出回転させることのみによって上下各側のロック部材がアンロック位置に引き込み駆動される形式の扉用ロックハンドル装置が適用される（例えば特許文献２参照）。
【０００５】
しかしながら、この扉用ハンドル装置では、操作ハンドルを扉前面と平行な枢軸ピンによってケースに装着し、ケースに上下動可能に収納した上下のスライダーに上下各側のロック部材の基端部を連結し、扉前面と直交する枢軸の周りに回転する連動ディスクをケースに収納し、該直交枢軸に関して左右対称に２個のカムスロットを連動ディスクに形成し、各カムスロットに上下各側のスライダー先端のカム突起を嵌挿し、操作ハンドルの先端部に形成した駆動アーム部によって上位側のスライダーを押し下げ駆動するようにしたものであるため、構造が比較的複雑で製造コストが嵩むだけでなく、直径が小さい連動ディスクとスライダーの連動部分に大きな力が負荷されるため、機械的寿命の点で難点が見られた。
【０００６】
【特許文献１】特許第２９６９１１９号公報
【特許文献２】特許第３０３５２５２号公報
【発明の開示】
【発明が解決しようとする課題】
【０００７】
本発明の課題は、操作ハンドルをリフトして回動させる操作のみによって上下各側のロック部材がアンロック方向に引き込み駆動される形式の扉用ロックハンドル装置において、操作ハンドルとロック部材間の連動機構を簡略化し、部品点数を減らして製造コストを節減するとともに、機械的寿命を長くすることである。
【課題を解決するための手段】
【０００８】
本発明の主たる特徴は、操作ハンドルの全体または主要部分を格納するケースが扉前面に装着され、ケースの上下に突出配置された一対のロック部材が固定枠体側のストライク部材に係脱して、扉を固定枠体に対してロックし、操作ハンドルをリフトしてケースから引き出し回動させたとき、前記上下各側のロック部材が同時にアンロック方向に引き込み駆動される扉用ロックハンドル装置において、
ケースの長さ方向に長い上下２個のガイドスロットをケースにその長さ方向に一定の間隔を置いて形成し、ケースの奥行き方向に長い支点スロットを前記２個のガイドスロットの中間点においてケースに形成し、ハンドル支持リンクの先端を操作ハンドルの背面部に枢着し、ハンドル支持リンクの基端に下位側ロック部材の基端を枢着した下側ピンを前記下側のガイドスロットに移動可能に嵌挿し、ハンドル支持リンクの中間部に第１のリフト補助リンクの先端を枢着し、ハンドル支持リンクの前記枢着点から操作ハンドルの長さ方向に一定の間隔を置いた点において第２のリフト補助リンクの先端を操作ハンドルの背面部に枢着し、第１のリフト補助リンクの基端に第２のリフト補助リンクの基端を枢着するピンを前記支点スロットに移動可能に嵌挿し、操作ハンドルの先端アーム部に上位側ロック部材の基端を枢着した上側ピンを前記上側のガイドスロットに移動可能に嵌挿し、
操作ハンドルをその基端側よりリフトして回動させたとき、前記ハンドル支持リンク及び第１、第２のリフト補助リンクの協働作用によって、前記上側ピンと下側ピンを前記上下各側のガイドスロットに沿って移動させ、前記上下各側のロック部材をアンロック方向に引き込み駆動するようにしたことである。
【発明の効果】
【０００９】
本発明の扉用ロックハンドル装置では、操作ハンドルをリフトして回動させる操作のみによって上下各側のロック部材がアンロック方向に引き込み駆動されるものであるから、操作ハンドルの扉前面に沿った旋回回転が不要であり、操作ハンドルの旋回回転に必要な余裕空間を確保できない機器類や設置場所にも支障なく適用することができる。
【００１０】
このような作動を可能とする操作ハンドルと上下各側のロック部材と間の連動機構は、上記した構成配置のハンドル支持リンクと第１リフト補助リンクと第２のリフト補助リンク並びに上側ピンと下側ピンによって構成されているため、形状構造が簡略化されており、部品点数が少ないものとなっており、装置全体の製造コストを容易に節減することができる。また、上記リンクとピンの集合体である連動リンク機構には過大な力が負荷されることがないから、装置の機械的寿命を長くすることができる。
【実施例】
【００１１】
図示した実施例では、扉１に固着されるケース２は、左側壁部と底壁部を成す断面Ｌ形部材３と、右側壁部を成す平板部材４と、正面壁部を成すカバー部材５とによって構成されている。Ｌ形部材３の底壁部の右側面の蟻溝状凸部６には、平板部材４の後端縁部の蟻溝状凹部７が嵌合され、Ｌ形部材３と平板部材４は、平板部材４の透孔８からＬ形部材３の螺子孔９に捻じ込まれたビス１０によって互いに締付け固着されている。Ｌ形部材３の上下端部には、上面壁板部１１と下面壁板部１２が一体形成され、平板部材４に当接している。Ｌ形部材３と平板部材４の組立体は、扉１の背面側から前端部を扉１の取付用窓孔１３に嵌め込まれ、上面壁板部１１と下面壁板部１２の各張出耳部１４が扉１の背面１ｂに突き合わされる。
【００１２】
Ｌ形部材３と平板部材４の組立体の当該前端部にはカバー部材５が嵌め合わされ、カバー部材５の背面周縁部は扉１の前面１ａに突き当てられる。カバー部材の左右各側には連結脚片１５が２個ずつ背面側に突出形成されており、各連結脚片１５の先端爪部１６が、Ｌ形部材３と平板部材に形成した係止溝孔１７の縁部に弾性係合することによって、カバー部材５は前記嵌合状態に保持される。カバー部材５の上下端部の背面側には、前記張出耳部１４の前面凹部１８に挿入される位置決めボス部１９が突出形成されている。カバー部材５とＬ形部材３は、張出耳部１４の透孔２０から位置決めボス部１９の螺子孔２１に捻じ込まれるビス２２によって互いに締付け固着されている。
【００１３】
カバー部材５には操作ハンドル２３が出没可能に収納される縦長の開口部２４が前後方向に貫通して形成されている。上側のガイドスロット２５はＬ形部材３の左側壁部分と平板部材４の両方に相対向した位置に形成されている。下側のガイドスロット２６もＬ形部材３の左側壁部分と平板部材４の両方に相対向した位置に形成されている。上側のガイドスロット２５と下側のガイドスロット２６は、扉１の前面１ａと平行は同一直線上に整列して形成されている。上位側のロック部材２７の基端部に連結されたスライダー板２８は、Ｌ形部材３の上面壁板部１１の右側縁部に形成されたガイド溝２９からケース２内に摺動可能に嵌挿されている。上側ロック部材２７の先端側には、公知の錠止機構の一例としてローラ型のラッチ体３０が連結されている。典型的には機器筐体である固定枠体３１の正面壁板部３２には、ストライク部材３３が固着されており、ラッチ体３０がストライク部材３３の背面側に係合することによって、扉１が固定枠体３１に対してロックされる。
【００１４】
下位側のロック部材３４の基端部に連結されたスライダー板３５は、Ｌ形部材３の下面壁板部１２の後側縁部に形成されたガイド溝３６からケース２内に摺動可能に嵌挿されている。ロック部材３４の先端側には、公知の錠止機構の一例としてローラ型のラッチ体３０が連結されている。典型的には機器筐体である固定枠体３１の正面壁板部３２には、ストライク部材３３が固着されており、ラッチ体３０がストライク部材３３の背面側に係合することによって、扉１が固定枠体３１に対してロックされる。
【００１５】
支点スロット３７は、Ｌ形部材３の左側壁部分と平板部材４に相対向した位置に形成されており、ケース２の奥行き方向に多少長いスロットになっている。支点スロット３７の全端は、上側のガイドスロット２５と下側のガイドスロット２６を結ぶ線分よりも後側に配置されている。ハンドル支持リンク３８は、基端部が屈曲したベルクランク状に形成されている。扉前面１ａと平行な下側ピン３９は、前記スライダー板３５の起立板部３５ａの軸孔４０と、ハンドル支持リンク３８の基端部の軸孔４１と、下側ガイドスロット２６に嵌挿されている。下側ピン３９は、頭部３９ａと止めリング４２によって、抜け止めを阻止されている。
【００１６】
ハンドル支持リンク３８の先端は、扉前面１ａと平行なピン４３によって操作ハンドル２３の背面部に枢着されている。ハンドル支持リンク３８の中間部に第１のリフト補助リンク４５の先端を枢着するピン４６は、扉前面１ａと平行に配置されている。第２のリフト補助リンク４７の先端を操作ハンドル２３の背面部に枢着するピン４８は、扉前面１ａと平行に配置されている。第１のリフト補助リンク４５と第２のリフト補助リンク４７の長さは同一になっている。第１のリフト補助リンク４５の基端に第２のリフト補助リンク４７の基端を枢着する支点ピン４９は、扉前面１ａと平行に配置されている。操作ハンドル２３の背面側に斜めに突出形成した先端アーム部５０には、扉前面１ａと平行な上側ピン５１によって、上位側ロック部材２７のスライダー板２８の基端が枢着されている。上側のガイドスロット２５と下側のガイドスロット２６は同一長さに形成されている。
【００１７】
扉前面１ａと平行な上側ピン５１は、前記スライダー板２８の軸孔５２と、先端アーム部５０の軸孔５３と、上側ガイドスロット２５に嵌挿されている。上側ピン５１は、頭部５１ａと止めリング５４によって、抜け止めを阻止されている。操作ハンドル２３の基端部には、公知のシリンダー錠５５が組み込まれており、そのロータ先端に偏心形成したカム突起５６によって駆動される錠止板５７は、Ｌ形部材３に設けた受金部５８と係合することによって、操作ハンドル２３をケース２に格納された位置に堅固に保持することができる。
【００１８】
ロック状態においては、操作ハンドル２３はケース２に格納されており、図４に示したように支点ピン４９は支点スロット３７の後端部に位置している。上側ピン５１は、上側ガイドスロット２５の上端部に位置しており、下側ピン３は下側ガイドスロット２６の下端部に位置している。ハンドル支持リンク３８を第１のリフト補助リンク４５に枢支連結するピン４６と、第２のリフト補助リンク４７を操作ハンドル２３に枢支連結するピン４８は、扉前面１ａに平行な同一直線上に配置されている。ハンドル支持リンク３８を操作ハンドル２３に枢支連結するピン４３は、前記ピン４６とピン４８を結ぶ線分を後側に若干越えた位置にある。前記ピン４３と支点ピン４９は、第１のリフト補助リンク４５と第２のリフト補助リンク４７に間の挟角の２等分線上に配置されている。前記ピン４６とピン４８を結ぶ線分は、上側ガイドスロット２５と下側ガイドスロット２６を結ぶ線分よりも前側に配置されている。
【００１９】
上記したようにロック状態においては、前記ピン４３が前記ピン４６とピン４８を結ぶ線分を後側に若干越えた位置に配置され、前記ピン４３と支点ピン４９が、第１のリフト補助リンク４５と第２のリフト補助リンク４７間の挟角の２等分線上に配置され、支点ピン４９が前記ピン４６とピン４８を結ぶ線分よりも後側に配置されているため、外部から振動衝撃が負荷されても、当該外力は操作ハンドル２３をケース２から浮き出させる力とはならず、操作ハンドル２３はケース２内に格納された位置に安定に保持される。
【００２０】
操作ハンドル２３の左右側壁部４４の基端側外面には、Ｌ形部材３の左側壁部分と平板部材４の各内面に形成した係止凹部５９と対応した部位に、係止舌片６０を突出形成してある。操作ハンドル２３をケース２に収納したとき、前記係止凹部５９に係止舌片６０が弾性係合することによっても、操作ハンドル２３はケース２内に安定に保持される。Ｌ形部材３の底壁部分の前面側には、ロック状態において第１のリフト補助リンク４５が当接する傾斜面６１と、第２のリフト補助リンク４７が当接する傾斜面６２を広角のＶ字状に形成してある。扉前面１ａと平行な支点ピン４９は、第１のリフト補助リンク４５の軸孔６３と、第２のリフト補助リンク４７の軸孔６４と、支点スロット３７に嵌挿されている。支点ピン４９は、頭部４９ａと止めリング６５によって、抜け止めを阻止されている。
【００２１】
図４において所定の鍵を前記シリンダー錠５５に挿入し、ロータのカム突起５６によって錠止板５７を引き込み摺動させて、錠止板５７を受金部５８から離脱させた後、操作ハンドル２３の基端側すなわち下端側に指を掛けて、操作ハンドル２３をリフトさせると、図３において鎖線で示したように、ハンドル支持リンク３８が前記ピン４３の周りに操作ハンドル２３に対して回転し、第２のリフト補助リンク４７が前記ピン４８の周りに操作ハンドル２３に対して回転し、第１のリフト補助リンク４５が前記ピン４６の周りにハンドル支持リンク３８に対して回転し、第１のリフト補助リンク４５と第２のリフト補助リンク４７間の挟角を狭めながら前記支点ピン４９が前記支点スロット３７内を前側に移動するため、操作ハンドル２３はケース２から斜めに回動しながら引き出される。この引き出し回動の過程で、上側ピン５１は上側ガイドスロット２５内を下向きに移動し、下側ピン３９は下側ガイドスロット２６内を上向きに移動する。
【００２２】
上側ピン５１が上側ガイドスロット２５の下端部まで移動し、下側ピン３９が下側ガイドスロット２６の上端部まで移動したとき、上位側のロック部材２７と下位側のロック部材３４の各先端に連結されたラッチ体３０は、対応するストライク部材３３から離脱することによって、固定枠体３１に対する扉１のロックを解除する。そのため、扉１は操作ハンドル２３をそのまま手前に引くことによって開放される。
【図面の簡単な説明】
【００２３】
【図１】本発明の一実施例に係る扉用ロックハンドル装置の上下のロック部材を含めた正面図である。
【図２】図１の扉用ロックハンドル装置の主要部分の正面図であり、操作ハンドルがケースに収納されたロック状態にある。
【図３】図１の扉用ロックハンドル装置の作動状態を鎖線で示した右側面図である。
【図４】図１の扉用ロックハンドル装置の中央縦断面図である。
【図５】図１の扉用ロックハンドル装置の背面図である。
【図６】図１の扉用ロックハンドル装置の底面図である。
【図７】図１のＡ−Ａ線断面図である。
【図８】図１のＢ−Ｂ線断面図である。
【図９】図１のＣ−Ｃ線断面図である。
【符号の説明】
【００２４】
１  扉
１ａ  扉前面
１ｂ  扉背面
２  ケース
３  ケースのＬ形部材
４  ケースの平板部材
５  ケースのカバー部材
６  蟻溝状凸部
７  蟻溝状凹部
８  平板部材の透孔
９  Ｌ形部材の螺子孔
１０  ビス
１１  ケースの上面壁板部
１２  ケースの下面壁板部
１３  扉の窓孔
１４  ケースの張出耳部
１５  カバー部材の連結脚片
１６  連結脚片の先端爪部
１７  ケースの係止溝孔
１８  張出耳部の前面凹部
１９  カバー部材の位置決めボス部
２０  張出耳部の透孔
２１  位置決めボス部の螺子孔
２２  ビス
２３  操作ハンドル
２４  ケースの縦長開口部
２５  上側のガイドスロット
２６  下側のガイドスロット
２７  上位側のロック部材
２８  上位側のスライダー板
２９  上面壁板部のガイド溝
３０  ローラ型ラッチ体
３１  固定枠体
３２  固定枠体の正面壁板部
３３  ストライク部材
３４  下位側のロック部材
３５  下位側のスライダー板
３５ａ  下位側スライダー板の起立板部
３６  下面壁板部のガイド溝
３７  支点スロット
３８  ハンドル支持リンク
３９  下側ピン
３９ａ  下側ピンの頭部
４０  起立板部の軸孔
４１  ハンドル支持リンクの軸孔
４２  下側ピンの止めリング
４３  ハンドル支持リンクと操作ハンドルとの枢支用ピン
４４  操作ハンドルの側壁部
４５  第１のリフト補助リンク
４６  ハンドル支持リンクと第１のリフト補助リンクとの枢支用ピン
４７  第２のリフト補助リンク
４８  第２のリフト補助リンクと操作ハンドルとの枢支用ピン
４９  第１と第２のリフト補助リンクの枢支用支点ピン
５０  操作ハンドルの先端アーム部
５１  上側ピン
５１ａ  上側ピンの頭部
５２  上位側スライダー板の軸孔
５３  先端アーム部の軸孔
５４  上側ピンの止めリング
５５  シリンダー錠
５６  カム突起
５７  ケースの受金部
５９  ケースの係止凹部
６０  操作ハンドルの係止舌片
６１  第１のリフト補助リンク用傾斜面
６２  第２のリフト補助リンク用傾斜面
【図１】
2005330721.tif 000003
【図２】
2005330721.tif 000004
【図３】
2005330721.tif 000005
【図４】
2005330721.tif 000006
【図５】
2005330721.tif 000007
【図６】
2005330721.tif 000008
【図７】
2005330721.tif 000009
【図８】
2005330721.tif 000010
【図９】
2005330721.tif 000011